(57)【要約】【課題】  ベッケン板上でのＸ線透過撮影を可能にする。【解決手段】  Ｘ線透過材で形成されたベッケン板４と、ベッケン板４を手術台に連結するブラケット６とを備えた被検者支持装置において、ブラケット６がベッケン板４と平行に延びるベッケン板４の保持板１３と、保持板１３を手術台に連結する保持板１３の末端に固定された支柱１４と、支柱１４の下部と保持板１３の中間部との間に掛け渡されるアーム１５とを有し、少なくとも保持板１３とアーム１５とがＸ線透過材で形成される。手術台で被検者をＸ線透過撮影しながら手術を行う場合、簡易に明瞭な画像を得て適正な手術、治療等を行うことができる。【選択図】  図１
2005168881.tif 000002
【特許請求の範囲】
【請求項１】
Ｘ線透過材で形成されたベッケン板と、ベッケン板を手術台に連結するブラケットとを備えた被検者支持装置において、ブラケットがベッケン板と平行に延びるベッケン板の保持板と、保持板を手術台に連結する保持板の末端に固定された支柱と、支柱の下部と保持板の中間部との間に掛け渡されるアームとを有し、少なくとも保持板とアームとがＸ線透過材で形成されたことを特徴とする被検者支持装置。
【請求項２】
請求項１に記載の被検者支持装置において、足受け装置が設けられ、この足受け装置の手術台に連結される支脚アームがＸ線透過材で形成されたことを特徴とする被検者支持装置。
【発明の詳細な説明】
【技術分野】
【０００１】
本発明は、手術台における被検者の腰部等を支持するための被検者支持装置に関する。
【背景技術】
【０００２】
従来、患者の腰等を手術、検査、診断等する場合、手術台に被検者支持装置を取り付けて患者の腰から下を固定するようにしている。例えば、大腿骨が骨折した患者を治療する場合、被検者支持装置のベッケン（骨盤）板で患者の腰部を保持し、足受け装置で足を固定して牽引し、Ｘ線で骨折部を透過撮影しながら骨折部を合致させ、しかる後骨折部をインプラント等により固定する。
【発明の開示】
【発明が解決しようとする課題】
【０００３】
ところが、従来の被検者支持装置はフェノール樹脂等で出来たベッケン板をブラケットで手術台のコラムに連結し、また、足受け装置をブラケットに連結してなるものであり、ベッケン板はＸ線を透過するが、ブラケットと足受け装置の一部とがいずれもステンレス鋼等の金属で作られていることから、ベッケン板上で被検者をＸ線透過撮影しながら手術を行う場合、明瞭な画像を得難いという問題がある。また、明瞭な画像を得るために患者の体位を変えようとすると患者に苦痛をもたらしたり、手術に支障を来たしたりするという問題がある。さらに、ブラケットや足受け装置は重いので、手術の変更により手術台のコラムにベッケン板等を着脱する作業が煩雑化するという問題がある。
【０００４】
したがって、本発明は上記不具合を解消することができる被検者支持装置を提供することを目的とする。
【課題を解決するための手段】
【０００５】
上記課題を解決するため、請求項１に係る発明は、Ｘ線透過材で形成されたベッケン板（４）と、ベッケン板（４）を手術台に連結するブラケット（６）とを備えた被検者支持装置において、ブラケット（６）がベッケン板（４）と平行に延びるベッケン板（４）の保持板（１３）と、保持板（１３）を手術台に連結する保持板（１３）の末端に固定された支柱（１４）と、支柱（１４）の下部と保持板（１３）の中間部との間に掛け渡されるアーム（１５）とを有し、少なくとも保持板（１３）とアーム（１５）とがＸ線透過材で形成された被検者支持装置を採用する。
【０００６】
また、請求項２に係る発明は、請求項１に記載の被検者支持装置において、足受け装置（７）が設けられ、この足受け装置（７）の手術台に連結される支脚アーム（２０）がＸ線透過材で形成された被検者支持装置を採用する。
【発明の効果】
【０００７】
請求項１に係る発明によれば、Ｘ線透過材で形成されたベッケン板（４）と、ベッケン板（４）を手術台に連結するブラケット（６）とを備えた被検者支持装置において、ブラケット（６）がベッケン板（４）と平行に延びるベッケン板（４）の保持板（１３）と、保持板（１３）を手術台に連結する保持板（１３）の末端に固定された支柱（１４）と、支柱（１４）の下部と保持板（１３）の中間部との間に掛け渡されるアーム（１５）とを有し、少なくとも保持板（１３）とアーム（１５）とがＸ線透過材で形成されたことから、手術台で被検者（Ａ）をＸ線透過撮影しながら手術を行う場合、簡易に明瞭な画像を得て適正な手術、治療等を行うことができる。また、ブラケット（６）の位置、形状等の如何を問わずＸ線撮影をすることができるので、Ｘ線撮影のために被検者（Ａ）の体位を変える必要がなく、従って患者に苦痛をもたらしたり、手術に支障を来たしたりするという不都合が解消される。また、Ｘ線透過材として例えば樹脂を用いることによりベッケン板（４）及びブラケット（６）を軽量化することができるので、手術台に簡易に取り付けることができる。また、ブラケット（６）の保持板（１３）とアーム（１５）を樹脂等の金属よりも比較的強度の低いＸ線透過材で形成しても、ベッケン板（４）と平行に延びるベッケン板（４）の保持板（１３）と、保持板（１３）を手術台に連結する保持板（１３）の末端に固定された支柱（１４）と、支柱（１４）の下部と保持板（１３）の中間部との間に掛け渡されるアーム（１５）とをフレームとして備えるので、ベッケン板（４）を適正に支えることができる。また、保持板（１３）はベッケン板（４）と平行に延び、保持板（１３）下には支柱（１４）側に傾斜したアーム（１５）が存在するのみであるから、ベッケン板（４）下の空間が広がり、Ｃ字型のＸ線撮影装置の可動範囲が大きくなり、任意の方向からＸ線透過撮影を行うことができる。
【０００８】
請求項２に係る発明によれば、請求項１に記載の被検者支持装置において、足受け装置（７）が設けられ、この足受け装置（７）の手術台に連結される支脚アーム（２０）がＸ線透過材で形成されたことから、支脚アーム（２０）の存在に影響されることなく明瞭なＸ線透過撮影を行うことができる。
【発明を実施するための最良の形態】
【０００９】
以下、図面を参照して発明を実施するための最良の形態について説明する。
【００１０】
図１に示すように、手術台が床上に設置される。手術台は、床面に置かれる基台１、基台１から起立するコラム２、コラム２上に連結されるテーブル３等を備える。手術台は、テーブル３として頭板３ａ及び背板３ｂを備え、更に図示しない腰板、脚板等を備える。図示例では腰板及び脚板はコラム２の側面に沿うように下方に回転し、又は手術台から取り外されている。
【００１１】
手術台には、図１に示すように、上記図示しない腰板等に代えて被検者支持装置が取り付けられている。
【００１２】
図１及び図２に示すように、この被検者支持装置は、ベッケン板４と、足受け装置７とを具備する。ベッケン板４と足受け装置７は共に手術台に連結される。
【００１３】
ベッケン板４は、図２及び図３（Ａ）（Ｂ）（Ｃ）に示すように、概ね長方形に形成され、Ｘ線透過材で形成される。Ｘ線透過材としては、例えば樹脂を炭素繊維で補強したＣＦＲＰである複合材料が用いられる。ベッケン板４の両長辺はその途中から一短辺側に向かうにつれて板幅が狭くなるように除去される。ベッケン板４の裏面には、この一短辺に沿うようにスペーサ８が止めネジ９により固定される。スペーサ８の裏面からはブラケット６に接続するための結合部材である突起１０が複数本下向きに突出している。止めネジ９及び突起１０もＸ線透過材である樹脂等で形成される。図１に示すように、このベッケン板４の上に被検者Ａの腰部ａが乗せられる。
【００１４】
ベッケン板４の上記一短辺に沿った箇所には、図１及び図２に示す股間支柱１１を取り付けるための嵌入穴１２が複数個穿設される。股間支柱１１は嵌入穴１２に挿入する心棒１１ａと、心棒１１ａに巻き付けられた円柱形のクッション１１ｂとを備える。心棒１１ａはＣＦＲＰ等のＸ線透過材で作られ、クッション１１ｂはウレタンゴム等のＸ線透過材で作られる。図１に示すように、被検者Ａはその股間で股間支柱１１を挟むようにベッケン板４上に乗せられ、これにより被検者Ａは手術台上の定位置に保持される。
【００１５】
ベッケン板４はブラケットを介して手術台に連結される。
【００１６】
このブラケット６は、図１、図２及び図４（Ａ）（Ｂ）（Ｃ）に示すように、ベッケン板４と平行に延びるベッケン板４の保持板１３と、保持板１３を手術台に連結する保持板１３の末端に固定された支柱１４と、支柱１４の下部と保持板１３の中間部との間に掛け渡されるアーム１５とを有する。
【００１７】
保持板１３は、ベッケン板４より小面積の板状フレーム材であり、ベッケン板４下でベッケン板４に平行に延在する。保持板１３は幅広部と幅広部に連なる幅狭部とを有し、幅狭部が手術台のコラム２側に向くように配置される。保持板１３の幅広部側には、ベッケン板４のスペーサ８下から突出する突起１０が挿入される嵌合穴１６と股間支柱１１の心棒１１ａが挿入される嵌入穴２３が設けられる。この嵌入穴２３は上記他の嵌入穴１２に連通する。図１及び図２に示すように、ベッケン板４の突起１０が保持板１３の嵌合穴１６に挿入されることにより、ベッケン板４がブラケット６上に水平に固定される。また、股間支柱１１の心棒１１ａが嵌入穴１２，２３に挿入されることにより股間支柱１１がベッケン板上に垂直に固定される。
【００１８】
支柱１４は、保持板１３における幅狭部の末端に下方に伸びるように固定される。支柱１４の下端からは連結棒１７が手術台のコラム２側に突出する。支柱１４から連結棒１７に至る箇所は、強度を要求されるので望ましくはステンレス鋼等の金属材料で形成されるが、樹脂等で形成することも可能である。保持板１３は支柱１４に対し金属製又は樹脂製の図示しないボルト等で固定される。
【００１９】
アーム１５は、支柱１４に片持ち状に支持される保持板１３を適正に支えるために、支柱１４の下端から保持板１３の中間部に向かって伸びる。アーム１５の両端は支柱１４と保持板１３にそれぞれ形成されたボス部１４ａ，１３ａに接合される。
【００２０】
このブラケット６は、図１に示すように、その支柱１４から突出する連結棒１７が手術台のコラム２に形成された係合穴に挿入されることによりコラム２に固定される。ブラケット６がコラム２に固定されると、ブラケット６上のベッケン板４は手術台におけるテーブル３の背板３ｂに連なるように水平に保持される。この手術台に固定されたベッケン板４上に被検者Ａの腰部ａが乗せられる。
【００２１】
保持板１３とアーム１５はＣＦＲＰ等のＸ線透過材で形成される。このため、Ｃ字型のＸ線撮影装置を用いて例えば図１に示す関心領域１８を対象として被検者ＡをＸ線透過撮影しながら手術を行う場合、明瞭な画像を得て手術、治療等を行うことができる。もちろん、支柱１４等他の部分もＣＦＲＰ等のＸ線透過材で形成してもよい。このようにブラケット６の保持板１３とアーム１５を樹脂等の金属よりも比較的強度の低いＸ線透過材で形成しても、上述したようにベッケン板４と平行に延びるベッケン板４の保持板１３と、保持板１３を手術台に連結する保持板１３の末端に固定された支柱１４と、支柱１４の下部と保持板１３の中間部との間に掛け渡されるアーム１５とをベッケン板４の保持フレームとして備えるので、ベッケン板４が手術台上に適正に支えられる。
【００２２】
図１に示すように、ベッケン板４上からはみ出る被検者Ａの足ｂを支えるために足受け装置７が手術台に連結される。
【００２３】
足受け装置７は足受け５を備える。足受け５は被検者Ａの足ｂが嵌まり込む枠体のほか、足を枠体に固定するための図示しないクッション、ベルト等を有する。足受け５は両足について夫々設けられる。図示例の足受け５は骨折側に対応するもので、片方の足ｂの先部分を支える構造となっているが、図示しない他方の反骨折側の足受けは脹脛、腿等足の中間部分を支えるようになっている。
【００２４】
足受け装置７は、床面に置かれる各足に対応した二本の支脚１９と、手術台のコラム２と支脚１９との間に梁状に掛け渡される二本の支脚アーム２０とを具備する。両支脚アーム２０はベッケン板４の下方をブラケット６に当たらないように水平方向に伸び、各々の一端が手術台に設けられた挿入穴に挿入され、各々の他端が支脚１９に固定される。図示例では支脚アーム２０は手術台のコラム２に直結されるが、ベッケン板４のブラケット６に連結してもよい。各支脚アーム２０はクランプ２１を介して各支脚１９に固定される。クランプ２１を緩めることにより各支脚アーム２０の高さ等は自在に調節可能である。各支脚アーム２０の中間位置に各足受け５が同様なクランプ２２により固定される。クランプ２２を緩めることにより各足受け５の支脚アーム２０上での位置、高さ等を自在に調節可能である。
【００２５】
支脚アーム２０は、ブラケット６において使用されるＸ線透過材と同様なＸ線透過材で形成される。これにより、支脚アーム２０の存在に影響されることなく、関心領域１８において明瞭なＸ線透過撮影を行うことができる。
【００２６】
次に、上記構成の被検者支持装置の作用について説明する。
【００２７】
図５に示すように、大腿骨ｃに生じた骨折を整復するための手術を行う場合を例にとって説明する。
【００２８】
図１に示すように、ブラケット６の連結棒１７を手術台のコラム２の挿入穴に嵌め込むことにより、ブラケット６をコラム２に取り付け固定する。
【００２９】
ベッケン板４の突起１０をブラケット６の保持板１３の嵌合穴１６に挿入し、ベッケン板４をブラケット６上に水平に固定する。
【００３０】
ベッケン板４と保持板１３の嵌入穴１２，２３に、股間支柱１１の心棒１１ａを挿入することにより、股間支柱１１をベッケン板４上に垂直に固定する。
【００３１】
足受け装置７における各支脚アーム２０を手術台のコラム２と各支脚１９との間に掛け渡し固定する。
【００３２】
足受け５を各支脚アーム２０上にセットし、クランプ２２を緩めて足受け５の位置を被検者Ａに合わせて調節する。
【００３３】
被検者Ａの股間に股間支柱１１が入り込むようにして被検者Ａの腰部ａをベッケン板４上に乗せる。また、被検者Ａの骨折側の片足ｂを足受け５に固定し、図示しない正常な他の片足を図示しない他の足受けに固定する。これにより被検者Ａは手術台上の定位置に保持される。
【００３４】
足受け５が具備する図示しない公知の牽引機構により被検者Ａの足ｂを牽引する。
【００３５】
関心領域１８で患部を透過撮影し図示しないモニタ上に映し出す。
【００３６】
術者がモニタ上の画像を見ながら骨折部を合わせる手術を行い、図５に示すようにインプラント２４により骨折部ｄを固定する。
【００３７】
なお、本発明は上記実施の形態に限定されるものではなく、例えば上記実施の形態では患者の大腿骨の骨折の治療について説明したが他の部位の施術についても適用可能である。
【図面の簡単な説明】
【００３８】
【図１】本発明に係る被検者支持装置を手術台に装着して示す正面図である。
【図２】被検者支持装置のベッケン板及びブラケットを示す斜視図である。
【図３】被検者支持装置のベッケン板を示し、（Ａ）は平面図、（Ｂ）は正面図、（Ｃ）は側面図である。
【図４】被検者支持装置のブラケットを示し、（Ａ）は平面図、（Ｂ）は正面図、（Ｃ）は側面図である。
【図５】被検者支持装置を使用して治療した被検者の骨折部の説明図である。
【符号の説明】
【００３９】
２…コラム
４…ベッケン板
５…足受け
６…ブラケット
７…足受け装置
１３…保持板
１４…支柱
１５…アーム
【図１】
2005168881.tif 000003
【図２】
2005168881.tif 000004
【図３】
2005168881.tif 000005
【図４】
2005168881.tif 000006
【図５】
2005168881.tif 000007